【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
光電変換部と、前記光電変換部に発生した電荷に基づく信号を増幅する増幅部と、前記増幅部の入力部と、前記光電変換部に蓄積された電荷を前記入力部に転送する転送部と、前記入力部の電位を第１の電位に設定して選択状態にし、前記入力部の電位を第２の電位に設定して非選択状態にする設定部とをそれぞれ含む複数の画素が行方向及び列方向に配列された画素配列と、
前記画素配列における複数の画素を駆動する駆動部と、
を備え、
前記画素配列は、第１のモードにおいて、画素から信号が読み出される読み出し領域と、画素から信号が読み出されない非読み出し領域とを含み、
前記駆動部は、前記第１のモードにおいて、前記非読み出し領域に含まれる画素のそれぞれを、第１の期間において前記転送部が電荷を転送できる状態で前記設定部が前記入力部の電位を第３の電位に設定して前記光電変換部をリセットし、前記第１の期間よりも後の第２の期間において前記設定部が前記入力部の電位を第４の電位に設定して非選択状態にするように、駆動し、
前記駆動部は、前記第１のモードにおいて、前記第２の期間の後に、前記読み出し領域に含まれる画素のそれぞれを、前記読み出し領域に含まれる画素のうち選択された画素の前記光電変換部の信号が前記増幅部に転送されるように、駆動する、
ことを特徴とする撮像装置。
【請求項２】
前記複数の画素のそれぞれの前記転送部は、トランジスタを含み、
前記駆動部は、前記第１のモードにおいて前記非読み出し領域に含まれる画素のそれぞれの前記転送部に含まれる前記トランジスタを、前記第１の期間においてオンし、前記第２の期間においてオフするように、駆動する
ことを特徴とする請求項１に記載の撮像装置。
【請求項３】
前記複数の画素のそれぞれの前記転送部は、トランジスタを含み、
前記駆動部は、前記第１のモードにおいて前記非読み出し領域に含まれる画素のそれぞれの前記転送部に含まれる前記トランジスタがオン状態に固定されるように、駆動する
ことを特徴とする請求項１に記載の撮像装置。
【請求項４】
前記複数の画素のそれぞれの前記増幅部は、増幅トランジスタを含み、
前記第１の電位及び前記第３の電位は、前記増幅トランジスタがオンする電位であり、
前記第２の電位及び前記第４の電位は、前記増幅トランジスタがオフする電位である
ことを特徴とする請求項１から３のいずれか１項に記載の撮像装置。
【請求項５】
前記第３の電位は、前記第１の電位に等しく、
前記第４の電位は、前記第２の電位に等しい
ことを特徴とする請求項１から４のいずれか１項に記載の撮像装置。
【請求項６】
前記画素配列は、第２のモードにおいて、全ての画素から信号が読み出される
ことを特徴とする請求項１から５のいずれか１項に記載の撮像装置。
【請求項７】
光電変換部と、前記光電変換部に発生した電荷に基づく信号を増幅する増幅部と、前記増幅部の入力部と、前記光電変換部に蓄積された電荷を前記入力部に転送する転送部と、前記入力部の電位を第１の電位に設定して選択状態にし、前記入力部の電位を第２の電位に設定して非選択状態にする設定部とをそれぞれ含む複数の画素が行方向及び列方向に配列された画素配列と、
前記画素配列における複数の画素を駆動する駆動部と、
を備え、
前記画素配列は、第１のモードにおいて、画素から信号が読み出される読み出し領域と、画素から信号が読み出されない非読み出し領域とを含み、
前記駆動部は、前記第１のモードにおいて前記非読み出し領域に含まれる画素のうち前記読み出し領域に隣接する部分の画素を、第１の期間において前記転送部が電荷を転送できる状態で前記設定部が前記入力部の電位を第３の電位に設定して前記光電変換部をリセットし、前記第１の期間よりも後の第２の期間において前記設定部が前記入力部の電位を第４の電位に設定して非選択状態にするように、駆動し、
前記駆動部は、前記第１のモードにおいて、前記第２の期間の後に、前記読み出し領域に含まれる画素のそれぞれを、前記読み出し領域に含まれる画素のうち選択された画素の前記光電変換部の信号が前記増幅部に転送されるように、駆動する、
ことを特徴とする撮像装置。
【請求項８】
前記複数の画素のそれぞれの前記転送部は、トランジスタを含み、
前記駆動部は、前記第１のモードにおいて前記非読み出し領域に含まれる画素のうち前記読み出し領域に隣接する部分の画素の前記転送部に含まれる前記トランジスタを、前記第１の期間においてオンし、前記第２の期間においてオフするように、駆動する
ことを特徴とする請求項７に記載の撮像装置。
【請求項９】
前記複数の画素のそれぞれの前記転送部は、トランジスタを含み、
前記駆動部は、前記第１のモードにおいて前記非読み出し領域に含まれる画素のうち前記読み出し領域に隣接する部分の画素の前記転送部に含まれる前記トランジスタがオン状態に固定されるように、駆動する
ことを特徴とする請求項７に記載の撮像装置。
【請求項１０】
前記複数の画素のそれぞれの前記増幅部は、増幅トランジスタを含み、
前記第１の電位及び前記第３の電位は、前記増幅トランジスタがオンする電位であり、
前記第２の電位及び前記第４の電位は、前記増幅トランジスタがオフする電位である
ことを特徴とする請求項７から９のいずれか１項に記載の撮像装置。
【請求項１１】
前記第３の電位は、前記第１の電位に等しく、
前記第４の電位は、前記第２の電位に等しい
ことを特徴とする請求項７から１０のいずれか１項に記載の撮像装置。
【請求項１２】
前記画素配列は、第２のモードにおいて、全ての画素から信号が読み出される
ことを特徴とする請求項７から１１のいずれか１項に記載の撮像装置。
【請求項１３】
光電変換部と、前記光電変換部に発生した電荷に基づく信号を増幅する増幅部と、前記増幅部の入力部と、前記光電変換部に蓄積された電荷を前記入力部に転送する転送部と、前記入力部の電位を第１の電位に設定して選択状態にし、前記入力部の電位を第２の電位に設定して非選択状態にする設定部とをそれぞれ含む複数の画素が行方向及び列方向に配列された画素配列を有する撮像装置の駆動方法であって、
前記画素配列は、第１のモードにおいて、画素から信号が読み出される読み出し領域と、画素から信号が読み出されない非読み出し領域とを含み、
前記駆動方法は、
前記第１のモードにおいて前記非読み出し領域に含まれる画素のそれぞれを、第１の期間において前記転送部が電荷を転送できる状態で前記設定部が前記入力部の電位を第３の電位に設定するように、駆動する設定工程と、
前記第１のモードにおいて前記非読み出し領域に含まれる画素のそれぞれを、前記第１の期間よりも後の第２の期間において前記設定部が前記入力部の電位を第４の電位に設定して非選択状態にするように、駆動する非選択工程と、
前記第１のモードにおいて、前記第２の期間の後に、前記読み出し領域に含まれる画素のそれぞれを、前記読み出し領域に含まれる画素のうち選択された画素の前記光電変換部の信号が前記増幅部に転送されるように、駆動する工程と、を含むことを特徴とする撮像装置の駆動方法。
【請求項１４】
前記複数の画素のそれぞれの前記転送部は、トランジスタを含み、
前記設定工程では、前記第１のモードにおいて前記非読み出し領域に含まれる画素のそれぞれの前記転送部に含まれる前記トランジスタを、前記第１の期間においてオンするように、駆動し、
前記非選択工程では、前記第１のモードにおいて前記非読み出し領域に含まれる画素のそれぞれの前記転送部に含まれる前記トランジスタを、前記第２の期間においてオフするように、駆動する
ことを特徴とする請求項１３に記載の撮像装置の駆動方法。
【請求項１５】
前記複数の画素のそれぞれの前記転送部は、トランジスタを含み、
前記設定工程および前記非選択工程では、前記第１のモードにおいて前記非読み出し領域に含まれる画素のそれぞれの前記転送部に含まれる前記トランジスタがオン状態に固定されるように、駆動する
ことを特徴とする請求項１３に記載の撮像装置の駆動方法。
【請求項１６】
前記複数の画素のそれぞれの前記増幅部は、増幅トランジスタを含み、
前記第１の電位及び前記第３の電位は、前記増幅トランジスタがオンする電位であり、
前記第２の電位及び前記第４の電位は、前記増幅トランジスタがオフする電位である
ことを特徴とする請求項１３から１５のいずれか１項に記載の撮像装置の駆動方法。
【請求項１７】
前記第３の電位は、前記第１の電位に等しく、
前記第４の電位は、前記第２の電位に等しい
ことを特徴とする請求項１３から１６のいずれか１項に記載の撮像装置の駆動方法。
【請求項１８】
前記画素配列は、第２のモードにおいて、全ての画素の前記入力部に保持された電荷による信号が読み出される
ことを特徴とする請求項１３から１７のいずれか１項に記載の撮像装置の駆動方法。
【請求項１９】
光電変換部と、前記光電変換部に発生した電荷に基づく信号を増幅する増幅部と、前記増幅部の入力部と、前記光電変換部に蓄積された電荷を前記入力部に転送する転送部と、前記入力部の電位を第１の電位に設定して選択状態にし、前記入力部の電位を第２の電位に設定して非選択状態にする設定部とをそれぞれ含む複数の画素が行方向及び列方向に配列された画素配列を有する撮像装置の駆動方法であって、
前記画素配列は、第１のモードにおいて、画素から信号が読み出される読み出し領域と、画素から信号が読み出されない非読み出し領域とを含み、
前記駆動方法は、
前記第１のモードにおいて前記非読み出し領域に含まれる画素のうち前記読み出し領域に隣接する部分の画素を、第１の期間において前記転送部が電荷を転送できる状態で前記設定部が前記入力部の電位を第３の電位に設定するように、駆動する設定工程と、
前記第１のモードにおいて前記非読み出し領域に含まれる画素のそれぞれを、前記第１の期間よりも後の第２の期間において前記設定部が前記入力部の電位を第４の電位に設定して非選択状態にするように、駆動する非選択工程と、
前記第１のモードにおいて、前記第２の期間の後に、前記読み出し領域に含まれる画素のそれぞれを、前記読み出し領域に含まれる画素のうち選択された画素の前記光電変換部の信号が前記増幅部に転送されるように、駆動する工程と、を含むことを特徴とする撮像装置の駆動方法。
【請求項２０】
前記複数の画素のそれぞれの前記転送部は、トランジスタを含み、
前記設定工程では、前記第１のモードにおいて前記非読み出し領域に含まれる画素のうち前記読み出し領域に隣接する部分の画素の前記転送部に含まれる前記トランジスタを、前記第１の期間においてオンするように、駆動し、
前記非選択工程では、前記第１のモードにおいて前記非読み出し領域に含まれる画素のうち前記読み出し領域に隣接する部分の画素の前記転送部に含まれる前記トランジスタを、前記第２の期間においてオフするように、駆動する
ことを特徴とする請求項１９に記載の撮像装置の駆動方法。
【請求項２１】
前記複数の画素のそれぞれの前記転送部は、トランジスタを含み、
前記設定工程および前記非選択工程では、前記第１のモードにおいて前記非読み出し領域に含まれる画素のうち前記読み出し領域に隣接する部分の画素の前記転送部に含まれる前記トランジスタがオン状態に固定されるように、駆動する
ことを特徴とする請求項１９に記載の撮像装置の駆動方法。
【請求項２２】
前記複数の画素のそれぞれの前記増幅部は、トランジスタを含み、
前記第１の電位及び前記第３の電位は、前記増幅部がオンする電位であり、
前記第２の電位及び前記第４の電位は、前記増幅部がオフする電位である
ことを特徴とする請求項１９から２１のいずれか１項に記載の撮像装置の駆動方法。
【請求項２３】
前記第３の電位は、前記第１の電位に等しく、
前記第４の電位は、前記第２の電位に等しい
ことを特徴とする請求項１９から２２のいずれか１項に記載の撮像装置の駆動方法。
【請求項２４】
前記画素配列は、第２のモードにおいて、全ての画素の前記入力部に保持された電荷による信号が読み出される
ことを特徴とする請求項１９から２３のいずれか１項に記載の撮像装置の駆動方法。
【請求項２５】
請求項１から１２のいずれか１項に記載の撮像装置と、
前記撮像装置の前記画素配列へ光を結像する光学系と、
前記撮像装置からの出力信号を処理して画像データを生成する信号処理部と、
を備えたことを特徴とする撮像システム。